(57)【特許請求の範囲】
【請求項１】
弾力性を有する支持層と、該支持層の変形を抑制可能な伸縮性を有する経編で編まれた編物からなる補強層と、多数のパイル糸が植毛されてなる摺接層とが該摺接層を最上層とするように積層されてなる画像形成装置用のシール材の製造方法であって、
前記支持層と前記補強層とが貼り合わされた状態で、静電植毛工程において、前記貼り合わされた支持層と補強層との搬送方向に対し、前記補強層の伸縮性の小さい方向を合わせるように前記貼り合わされた支持層と補強層とが配置されて搬送され、当該補強層が前記支持層の変形を抑制しつつ前記支持層若しくは前記補強層に接着層を介して複数のパイル糸が静電植毛されることにより前記摺接層を形成することを特徴とする画像形成装置用のシール材の製造方法。
【請求項２】
請求項１に記載の画像形成装置用のシール材の製造方法により製造された画像形成装置用のシール材。
【請求項３】
前記編物は、ハーフトリコット編みで編まれたものであることを特徴とする請求項２に記載の画像形成装置用のシール材。
【請求項４】
前記支持層は、フォーム材よりなり、２５ｍｍあたりのセル数が、２０個〜１００個の範囲内であることを特徴とする請求項２又は請求項３に記載の画像形成装置用のシール材。
【発明の詳細な説明】
【技術分野】
【０００１】
本発明は、例えば電子写真方式の画像形成装置内において、感光ドラム等の回転体の軸線方向における端部からのトナー等の粉粒体の漏れをシールするための画像形成装置用のシール材及びその製造方法に関するものである。
【背景技術】
【０００２】
一般に、電子写真方式の画像形成装置は、現像部及びクリーニング部を備えている。現像部では、ハウジングに覆われた状態の帯電された現像ローラ（回転体）に帯電付着したトナーが感光ドラム（回転体）に付与され、感光ドラムの周面にトナーの像が形成されるようになっている。そして、ハウジングにおける現像ローラの軸方向端部と対応する部位には、ハウジング外へのトナー漏れを防ぐためのシール材が現像ローラの周面と接触するように配設されている。また、クリーニング部では、板状のブレードを回転する感光ドラムの周面に接触させて該周面に付着したトナーを掻き取るようになっている。この場合、感光ドラムの周面から掻き取られたトナーは、ブレードの端部（感光ドラムの軸方向端部）からハウジング外へ漏れ出し易いため、ハウジングにおけるブレードの端部と対応する部位にはハウジング外へのトナー漏れを防ぐためのシール材が感光ドラムの周面と接触するように配設されている。
【０００３】
このような現像ローラや感光ドラム等の回転体の軸線方向の端部からハウジング外へのトナー漏れを防止するシール材として、従来から特許文献１に記載のシール材が知られている。この特許文献１のシール材では、弾力性を有するフォーム材（支持層）上に直接接着剤を塗布して多数のパイル糸（毛羽）を静電植毛し、該パイル糸が回転体と接触するように、フォーム材をハウジングにおける現像ローラや感光ドラム等の回転体の軸線方向の端部と対応する部位に曲げ変形させて配設している。
【特許文献１】特開平１１−１２５９７１号公報
【発明の開示】
【発明が解決しようとする課題】
【０００４】
ところで、特許文献１のシール材は、植毛装置内をフォーム材が搬送される途中に該フォーム材にパイル糸を自動植毛するため、低コストで製造できるというメリットがあるが、比較的強度の弱いフォーム材を用いた場合には、製造工程における搬送途中にフォーム材が変形しやすかった。このため、フォーム材上に接着剤の塗布むらが生じ、これに起因するパイル糸の植毛むらが発生することがあった。また、フォーム材が永久変形した場合には、シール材の所望の高さや弾力性が確保されなくなるとういこともしばしばあった。そして、これらパイル糸の植毛むら及びフォーム材の永久変形は、シール材のシール性能に大きな影響を及ぼすため、シール材が十分なシール性能を確保できなくなるおそれがあった。
【０００５】
さらに、特許文献１には、一般的に伸縮性の乏しい織物等からなる基材上にパイル糸を植毛し、該基材とフォーム材とを接合したシール材も開示されている。このシール材の場合は、伸縮性の乏しい基材により、製造工程における搬送時のフォーム材の変形が抑制される。しかしながら、パイル糸とフォーム材との間に伸縮性の乏しい基材が介在しているため、フォーム材特有の曲面（ハウジングにおけるシール材の取付け面や回転体の周面等）に対する追従性が損なわれてしまい、画像形成装置に取着した場合には、近年のトナーの微細化に伴って、トナー漏れが発生しやすくなるという問題があった。
【０００６】
本発明は、このような課題に着目してなされたものである。その目的とするところは、シール性を好適に高めることが可能な画像形成装置用のシール材及びその製造方法を提供することにある。
【課題を解決するための手段】
【０００７】
上記の目的を達成するために、請求項１に記載のシール材の製造方法の発明は、弾力性を有する支持層と、該支持層の変形を抑制可能な伸縮性を有する経編で編まれた編物からなる補強層と、多数のパイル糸が植毛されてなる摺接層とが該摺接層を最上層とするように積層されてなる画像形成装置用のシール材の製造方法であって、前記支持層と前記補強層とが貼り合わされた状態で、静電植毛工程において、前記貼り合わされた支持層と補強層との搬送方向に対し、前記補強層の伸縮性の小さい方向を合わせるように前記貼り合わされた支持層と補強層とが配置されて搬送され、当該補強層が前記支持層の変形を抑制しつつ前記支持層若しくは前記補強層に接着層を介して複数のパイル糸が静電植毛されることにより前記摺接層を形成することを要旨とする。
【０００８】
上記構成によれば、シール材の製造工程における搬送時の支持層の変形が補強層により抑制される。また、補強層は伸縮性を有しているため、支持層の曲面（シール材の取付け面や回転体の表面等）に対する追従性が確保され、画像形成装置へ取着した場合におけるシール材のシール性を好適に高めることが可能となる。
さらに、上記構成によれば、編物は簡単な構成で伸縮性を良好に発揮することから、支持層の曲面（シール材の取付け面や回転体の表面等）に対する追従性を好適に確保することが可能となる。
加えて、特に経編みで編まれた編物は、伸縮性の大きい方向と伸縮性の小さい方向を持っているため、シール材の製造工程における搬送方向に編物の伸縮性の小さい方向を合わせることで、効果的に支持層の変形を抑制することが可能となる。
【０００９】
請求項２に記載の画像形成装置用のシール材の発明は、請求項１に記載の画像形成装置用のシール材の製造方法により製造されたことを要旨とする。
【００１０】
上記構成によれば、画像形成装置用のシール材が、請求項１に記載の製造方法で製造されているため、編物が簡単な構成で伸縮性を良好に発揮することから、支持層の曲面（シール材の取付け面や回転体の表面等）に対する追従性を好適に確保することが可能となる。
加えて、特に経編みで編まれた編物は、伸縮性の大きい方向と伸縮性の小さい方向を持っているため、シール材の製造工程における搬送方向に編物の伸縮性の小さい方向を合わせることで、効果的に支持層の変形を抑制することが可能となる。
【００１１】
請求項３に記載の発明は、請求項２に記載の発明において、前記編物は、ハーフトリコット編みで編まれたものであることを要旨とする。
上記構成によれば、編物をハーフトリコット編みで編むことにより、補強層を薄くすることが可能となる。また、ハーフトリコット編みで編まれた編物は、適度な伸縮性を有するため、支持層の変形が抑制されるとともに、摺接層の柔軟性が維持されるようになる。
【００１２】
請求項４に記載の発明は、請求項２又は請求項２に記載の発明において、前記支持層は、前記支持層は、フォーム材よりなり、２５ｍｍあたりのセル数が、２０個〜１００個の範囲内であることを要旨とする。
【００１３】
上記構成によれば、回転体に対する摺接層の摺動抵抗を好適に抑制しつつ、曲面（シール材の取付け面や回転体の表面等）に対する追従性を長期にわたって確保することが可能となる。
【００１４】
また、上記構成によれば、補強層が必要な範囲内で、フォーム材上に接着剤を均一且つ平坦に塗布することが可能となるため、該フォーム材上に、接着剤によりパイル糸を好適に植毛することが可能となる。
【発明の効果】
【００１７】
本発明によれば、シール性を好適に高めることが可能な画像形成装置用のシール材及びその製造方法を提供することができる。
【発明を実施するための最良の形態】
【００１８】
以下、本発明を具体化した実施形態を図面に基づいて説明する。
まず、画像形成装置のクリーニング部について説明する。
図１及び図２に示すように、電子写真方式による画像形成装置１０内には、回転体としての感光ドラム１１が図１中の矢印方向へ回転可能に支持されており、その周囲には現像部の現像ローラ１２及びクリーニング部１３が配設されている。なお、図示はされていないが、感光ドラム１１の周囲には、現像ローラ１２及びクリーニング部１３の他に帯電部、露光部、転写部、除電部等も配設されている。感光ドラム１１は、帯電部でその周面（以下、「表面」ともいう。）が帯電され、露光部で該表面に静電潜像が形成された後、現像ローラ１２から供給されたトナーにより該表面で静電潜像が可視像として現像され、転写部で該表面の可視像を記録用紙に転写させる。そして、可視像を転写した後、感光ドラム１１の表面に残留する粉粒体としてのトナーがクリーニング部１３で除去され、残留する電荷が除電部で消去される。このトナーには、解像度の高い転写画像を得るため流動性の高いものが使用され、具体的には粒径が１０μｍ以下の微細なトナー又は重合トナーが使用される。
【００１９】
クリーニング部１３は、前面が開口された略長四角箱状をなすハウジング１４を備えている。ハウジング１４の天板内面には支持板１５が感光ドラム１１へ向かって斜め下方へ延びるように取付けられ、この支持板１５の先端裏面にブレード１６が支持されている。ブレード１６は、長板状に形成され、感光ドラム１１の軸線方向と略平行に延びるように配設されるとともに、先端縁を感光ドラム１１の表面に摺接させた状態でその基端部を介して支持板１５に揺動可能に取付けられている。また、ブレード１６の先端縁とハウジング１４の開口下縁との間には、トナー回収通路１７が形成されている。これらハウジング１４、支持板１５、ブレード１６、トナー回収通路１７等によってクリーニング部１３が構成されている。そして、感光ドラム１１の表面に残留するトナーは、ブレード１６によって掻き取られ、トナー回収通路１７からハウジング１４内へ回収される。
【００２０】
ハウジング１４の両側壁においてトナー回収通路１７の両端部と対応する位置には、支持体としての支持突部１８が感光ドラム１１側へ向かってそれぞれ矩形状をなすように突出形成されている。また、これら両支持突部１８の前面１８ａは、感光ドラム１１の外周面に沿うように円弧状（曲面状）に形成されている。両支持突部１８の前面１８ａと感光ドラム１１の表面との間には隙間がそれぞれ形成されている。そして、これらの隙間を塞ぐように、両支持突部１８の各前面１８ａ上にはシール材２１がそれぞれ貼付されている。
【００２１】
各シール材２１は、支持突部１８に貼付された状態でブレード１６の両端部側方にそれぞれ配設されている。また、シール材２１は、支持突部１８の前面１８ａが円弧状に形成されていることから、感光ドラム１１の外周面に沿うように円弧状に湾曲された（曲げ変形された）状態で支持突部１８の前面１８ａに貼付されている。このシール材２１は、ブレード１６の前記感光ドラム１１に接触する側の端部（つまり前端部）の隅角部１６ａに対応するように、平面Ｌ字状に形成されている。そして、図３に示すように、両シール材２１の内側面（Ｌ字の内側となる面）２１ａには、前記ブレード１６の隅角部１６ａがそれぞれ接触されている。また、両シール材２１の上面は、感光ドラム１１の軸線方向における両端部の表面にそれぞれ接触している。
【００２２】
次に、シール材２１の構成について説明する。
図４及び図５に示すように、シール材２１は、支持層２２と、支持層２２の表面に接着層２３を介して接着された摺接層２４と、支持層２２の裏面に形成された補強層２５と、該補強層２５における支持層２２側の反対側の面に形成された貼付層２６とが積層された構成をしている。摺接層２４は、支持層２２上に接着層２３を介して植毛された複数のパイル糸２７により構成されている。そして、シール材２１は、摺接層２４が前記各層２２〜２６のうち最上層となるようにして、前記支持突部１８（図１参照）に貼付層２６を介して貼付されている。
【００２３】
支持層２２はフォーム材により形成され、シール材２１に弾力性を付与し、摺接層２４を感光ドラム１１に隙間なく十分に接触させるように設けられている。これは、後述するようにパイル糸２７が植毛されてなる摺接層２４において、摺動性のシール材２１という用途を考えた場合、パイル糸２７は細く、その植毛密度も可能な限り高い方が望ましい。このため、パイル糸２７の材質等にもよるが、パイル糸２７の太さは０．５〜５デシテックスの範囲内に設定することが望ましく、パイル糸２７の長さは０．５〜３ｍｍの範囲内に設定することが望ましい。（パイル糸２７は、その太さを維持した状態でその長さを長くすると、その密度が小さくなる。すなわち、パイル糸２７の密度を維持した状態で該パイル糸２７の長さを長くするには、パイル糸２７の太さを太くする必要がある。）そして、パイル糸２７の長さが０．５〜３ｍｍの範囲内の場合、シール材２１の弾力性が十分に発揮され難くなるため、シール材２１には支持層２２を設ける必要がある。
【００２４】
この支持層２２を形成するフォーム材としては、弾力性及び耐熱性を有するとともに、変形（へたり）に対する耐久性が高く、接着剤で接着可能な材料より形成されたものを用いることが好ましい。特に、前記フォーム材には、ＪＩＳ  Ｋ６４００の硬さ試験Ａ法に準拠する２５％圧縮荷重値が、０．３〜３ＭＰａであるものを使用することが好ましく、０．５〜２ＭＰａであるものを使用することがより好ましい。フォーム材の圧縮荷重値が過剰に低い場合、感光ドラム１１に摺接層２４を十分に摺接させることができなくなる。また、圧縮荷重値が過剰に高い場合、感光ドラム１１と摺接層２４との間で発生する摺接抵抗が大きくなり、感光ドラム１１の回転が阻害されるおそれがある。
【００２５】
また、前記フォーム材には、ＪＩＳ  Ｋ６４００に基づく引っ張り強度が１０〜２００ｋＰａであるものを使用することが好ましく、ＪＩＳ  Ｋ６４００に基づく引っ張り強度が３０〜１００ｋＰａであるものを使用することがより好ましい。フォーム材の引っ張り強度が１０ｋＰａよりも小さい場合には、シール材２１の使用時にフォーム材が破壊されるおそれがあり、フォーム材の引っ張り強度が２００ｋＰａよりも大きい場合には、補強層２５が不要となる。さらに、前記フォーム材には、２５ｍｍあたりのセル数（気孔数）が２０〜１００個であるものを使用することが好ましい。フォーム材の２５ｍｍあたりのセル数が２０個よりも少ない場合には、フォーム材の表面が粗くなりすぎて、該フォーム材（支持層２２）の表面に、後述する接着層２３を形成する接着剤がフォーム材のセル内に入り込んで均一に塗布されなくなり、接着剤が不足した部分にクレーターやピンホールが発生してしまう。一方、フォーム材の２５ｍｍあたりのセル数が１００個よりも多い場合には、補強層２５が不要となる。
【００２６】
このようなフォーム材としては、ポリウレタン、ポリスチレン、ポリプロピレン等の発泡樹脂、エチレン−プロピレン−ジエン共重合ゴム（ＥＰＤＭ）、クロロプレンゴム等の合成ゴム、あるいは天然ゴム、オレフィン系、スチレン系等の熱可塑性エラストマー等が挙げられる。この実施形態の支持層２２には、フォーム材として難燃性のポリウレタン発泡体（イノアック社製の商品名モルトプレンＳＭ−５５，厚さ２．５ｍｍ，２５ｍｍあたりのセル数５５個）が使用されている。
【００２７】
接着層２３は、硬化後にも柔軟性を有する接着剤で形成することが好ましい。さらに接着層２３は、耐熱性を有するとともに、曲げた状態でも使用することができるように、曲面状に変形可能な材料で形成することが好ましい。このような性質を有する接着剤としては、一般的にアクリル酸エチルエステルやアクリル酸ブチルエステルなどのアクリル系エステルエマルジョン樹脂が用いられる。アクリル酸エチルエステルは、接着力が強いものの、柔軟性がやや低い、逆にアクリル酸ブチルエステルは、柔軟性に富むものの、アクリル酸エチルエステルよりも接着力が弱い。したがって、これらの接着剤は、シール材２１の要求性能に応じて適宜選択される。この実施形態では、接着層２３がアクリル酸ブチルエステルエマルジョンの接着剤により形成されている。
【００２８】
摺接層２４を構成する複数のパイル糸２７は、その基端部が支持層２２上に接着層２３により密接した状態で接着されており、該各パイル糸２７はそれぞれ上方に向かってまっすぐに延びている。この場合、各パイル糸２７は、支持層２２からの高さが均一になっているとともに、各パイル糸２７同士が密集して支え合っているため、適度なクッション性を維持している。本実施形態において、植毛装置（図示略）により複数のパイル糸２７を支持層２２上に植毛する方法としては、ダウン方式（散布−振動−高圧静電気方式）やアップ方式（高圧静電気方式）を採用することができ、シール材２１の要求品質や生産数に応じて適宜選択される。
【００２９】
ダウン方式は、上方から落下させた複数のパイル糸２７を、植毛装置内に形成された高圧静電場を通過させることで、該電場に沿って各パイル糸２７の向きを揃えて支持層２２上に形成した接着層２３に静電吸引により突き刺ささらせて植毛する方法であり、生産性に優れている。アップ方式は、ベルトコンベア上を流れる複数のパイル糸２７を、植毛装置内に形成された高圧静電場の吸引力により、上側に配置された支持層２２上に形成した接着層２３に突き刺ささらせて植毛する方法であり、植毛ロスが少なく均一で高密度に植毛することができる。
【００３０】
本実施形態のパイル糸２７は、繊度が３．５デシテックスの繊維よりなる糸からなっており、その長さが約２ｍｍに設定されている。このパイル糸２７の材料には、ポリアミド系樹脂繊維やレーヨンなどを使用することができるが、特にポリアミド系樹脂繊維は、パイル糸２７の太さの設定範囲が広く、用途に合わせてパイル糸２７の硬さを容易に調整できるので、本実施形態のパイル糸２７の材料にはポリアミド系樹脂繊維が使用されている。
【００３１】
補強層２５には、織物、編物、樹脂フィルムなどを用いることができるが、本用途としては、支持層２２の変形を抑制しつつ、適度な伸縮性を有することが必要である。編物は一般に伸縮性に富んでいるが、補強層２５に織物や樹脂フィルムを用いる場合には、伸縮性を有するものでなければならない。このため、補強層２５には、編物を用いることが好ましい。本実施形態において、補強層２５は、経編みの一種であるハーフトリコット編みで、ポリアミド系樹脂繊維からなる糸により厚さが約０．４ｍｍになるように編まれた編物で形成されている。補強層２５が厚すぎるとシール材２１の柔軟性に支障をきたすため、薄いほど好ましい。このため、ハーフトリコット編みで編まれた編物は、一般的に入手しやすく、薄い生地の加工に適しているため、本用途に好適である。なお、補強層２５は、支持層２２の裏面に接着剤（例えば、酢酸ビニル系エマルジョン樹脂など）や熱融着により貼り合わされる。
【００３２】
貼付層２６は、硬化後に柔軟性を有するとともに、使用済みのシール材２１を支持突部１８から剥がすことができるように、粘着剤で形成することが好ましい。また、貼付層２６は、接着層２３と同様に耐熱性を有し、曲面状に変形可能な材料で形成することが好ましい。そして、貼付層２６は、補強層２５における支持層２２側の反対側の面にゴム系、アクリル系等の感圧粘着剤を塗布して、又は芯材の両面に感圧粘着剤を塗布してなる両面粘着テープを貼付して形成される。この実施形態の貼付層２６はアクリル系の粘着剤を使用した両面粘着テープ（日東電工社製の商品名♯５０００ＮＳ）により形成されている。
【００３３】
さて、図１及び図２に示すように、前記ブレード１６が感光ドラム１１の表面（周面）からトナーを掻き取るとき、トナーはブレード１６の側端部、トナー回収通路１７等から支持突部１８と感光ドラム１１との間の隙間を介して、すなわちブレード１６の長手方向に沿って外部に漏出しようとする。そして、この外部に漏出しようとするトナーは、シール材２１のパイル糸２７により捕集及びブロックされ、感光ドラム１１周辺のトナーによる汚染が抑制される。この場合、補強層２５が伸縮性を有する編物で形成されているため、支持層２２の曲面（両支持突部１８の各前面１８ａ及び感光ドラム１１の表面）に対する追従性が確保され、シール材２１のシール性が好適に高められる。
【００３４】
また、補強層２５は、経編みの一種であるハーフトリコット編みで編まれた編物であるため、伸縮性の大きい方向と伸縮性の小さい方向を持っている。このため、シール材２１の製造工程における搬送方向に、編物の伸縮性の小さい方向を合わせることで、効果的に支持層２２の変形が抑制される。したがって、フォーム材（支持層２２）の永久変形によるシール材２１の高さ寸法不良や弾力性不良が抑制されるとともに、支持層２２上に接着層２３が均一且つ平坦に形成されるので、パイル糸２７の植毛むらが低減される。
【００３５】
以上詳述した実施形態によれば次のような効果が発揮される。
（１）編物で形成された補強層２５により支持層２２の曲面（両支持突部１８の各前面１８ａ及び感光ドラム１１の表面）に対する追従性を確保することができる。そのため、画像形成装置１０のハウジング１４における支持突部１８の円弧状に形成された前面１８ａにシール材２１を貼付した場合にも、該シール材２１のシール性を好適に高めることができる。
【００３６】
（２）補強層２５は、伸縮性に富む編物により構成されているため、その構成が簡単である。また、補強層２５は、経編みで編まれた編物であるため、伸縮性の大きい方向と伸縮性の小さい方向を持っており、シール材２１の製造工程における搬送方向に編物の伸縮性の小さい方向を合わせることで、効果的に支持層２２の変形を抑制することができる。さらに、補強層２５は、ハーフトリコット編みで編まれた編物であるため、補強層２５を薄くすることができる。また、ハーフトリコット編みで編まれた編物は、適度な伸縮性を有するため、摺接層２４の柔軟性を好適に維持することができる。
【００３７】
（３）支持層２２は、フォーム材よりなるため、感光ドラム１１に対する摺接層２４の摺動抵抗を好適に抑制することができる。
（４）支持層２２を形成するフォーム材のＪＩＳ  Ｋ６４００に基づく引っ張り強度が、１０ｋＰａ〜２００ｋＰａの範囲内であるため、補強層２５が必要な範囲内で、フォーム材の耐久性を好適に維持することができる。
【００３８】
（５）支持層２２を形成するフォーム材の２５ｍｍあたりのセル数が２０個〜１００個の範囲内であるため、補強層２５が必要な範囲内で、フォーム材上に接着剤（接着層２３）を均一且つ平坦に塗布することができ、該フォーム材上に該接着剤によりパイル糸２７（摺接層２４）を好適に植毛することができる。
【００３９】
（６）特に外部へのトナーが漏れ易いブレード１６の端部における該ブレード１６と感光ドラム１１との隙間を摺接層２４により好適にシールすることができる。
（変更例）
なお、前記実施形態は、次のように変更して具体化することも可能である。
【００４０】
・図６に示すように、シール材２１を、支持層２２と接着層２３との間に補強層２５が配置されるように構成してもよい。この場合、シール材２１の支持層２２を形成するフォーム材には、難燃性のポリウレタン発泡体（イノアック社製の商品名モルトプレンＳＣ，厚さ２．５ｍｍ，２５ｍｍあたりのセル数３１個）が使用されている。また、摺接層２４を構成する複数のパイル糸２７は、繊度が１．５デシテックスのポリアミド系樹脂繊維からなっており、その長さが約１ｍｍに設定されている。
【００４１】
ところで、上述したように、フォーム材の２５ｍｍあたりのセル数が２０個よりも少ない場合には、接着剤がセル内に入り込んで均一に塗布されなくなり、接着剤が不足した部分では、クレーターやピンホールが発生してしまう。たとえ、フォーム材の２５ｍｍあたりのセル数が２０個以上であっても、このセル数の下限付近（２１個の場合や２２個の場合など）では接着剤が不均一に塗布されやすい傾向にあるため、パイル糸２７の植毛むらが発生しやすい。本仕様のシール材２１は、このような場合におけるパイル糸２７の植毛むらを抑制するために好適である。
【００４２】
このように構成すれば、支持層２２を形成するフォーム材の発泡倍率が高く、接着剤がセル内に入り込んで不均一に塗布されるような場合であっても、補強層２５に接着剤が塗布されることにより、接着剤がセル内に入り込むことを抑制することができる。このため、フォーム材の表面に、接着剤を均一に塗布（接着層２３を均一に形成）することができるので、該フォーム材の表面に接着剤により複数のパイル糸２７（摺接層２４）を好適に植毛することができる。
【００４３】
・シール材２１において、支持層２２の表面及び裏面の双方に補強層２５を設けるように構成してもよい。
・シール材２１を、現像ローラ１２の軸線方向の端部からのトナー漏れをシールするために用いてもよい。
【００４４】
・支持層２２を形成するフォーム材は、必ずしも２５ｍｍあたりのセル数が２０〜１００個の範囲内でなくてもよい。
・支持層２２を形成するフォーム材は、必ずしもＪＩＳ  Ｋ６４００に基づく引っ張り強度が１０〜２００ｋＰａの範囲内でなくてもよい。
【００４５】
・支持層２２は、必ずしもフォーム材で形成する必要はなく、ゴム等の弾力性を有する材料であればよい。
・補強層２５を構成する編物は、必ずしもハーフトリコット編みで編まれたものでなくてもよい。また、補強層２５を構成する編物は、必ずしも経編みで編まれたものでなくてもよい。
【００４６】
・パイル糸２７に傾斜処理を施すことにより、該パイル糸２７を感光ドラム１１の回転方向に傾斜させてもよい。このようにすれば、シール材２１の摺動性を向上させることができる。
【００４７】
・パイル糸２７に傾斜処理を施すことにより、該パイル糸２７を感光ドラム１１の軸線方向における内側（トナーが進行してくる方向）に傾斜させてもよい。このようにすれば、シール材２１のシール性能をより一層向上させることができる。
【００４８】
・上記のパイル糸２７の傾斜処理において、感光ドラム１１の回転方向を０°、感光ドラム１１の軸線方向における内側方向を９０°とした場合、パイル糸２７の傾斜方向は、０°〜９０°の間の範囲内であれば、いずれの方向であってもよい。このようにすれば、シール材２１の摺動性能とシール性能とのバランスを状況に応じて最適に保つことができる。
【図面の簡単な説明】
【００４９】
【図１】実施形態の画像形成装置を示す斜視図。
【図２】実施形態の画像形成装置のクリーニング部を示す平面図。
【図３】図２の要部拡大図。
【図４】実施形態のシール材を示す斜視図。
【図５】図４の要部拡大図。
【図６】変更例のシール材を示す斜視図。
【符号の説明】
【００５０】
１０…画像形成装置、１１…回転体としての感光ドラム、１６…ブレード、２１…シール材、２２…支持層、２４…摺接層、２５…補強層、２７…パイル糸。
【図１】
0004741305.tif 000002
【図２】
0004741305.tif 000003
【図３】
0004741305.tif 000004
【図４】
0004741305.tif 000005
【図５】
0004741305.tif 000006
【図６】
0004741305.tif 000007